(57)【要約】  各移動局から、周波数リソースごとの伝搬品質情報と、その移動局に割り当てられた周波数リソース全体でデータが正しく受信されたかどうかの可否判定結果とを受信し、移動局ごとに、その移動局から受信した伝搬品質情報および可否判定結果に基づいて、周波数リソースを割り当てるための割り当て指標を計算し、割り当て指標に基づいて、各移動局へ周波数リソースを割り当てる。割り当て指標の計算は、当該移動局に割り当てられた周波数リソースを複数に分けたグループごとに可否判定結果に基づく補正値を求め、このグループごとの補正値と伝搬品質情報とに基づいて行う。
2014203546.tif 000002
【特許請求の範囲】
【請求項１】
周波数分割多元接続通信を行う基地局が各移動局への下りリンクへの周波数リソースを割り当てる方法において、
各移動局から、周波数リソースごとの伝搬品質情報と、その移動局に割り当てられた周波数リソース全体でデータが正しく受信されたかどうかの可否判定結果とを受信するステップと、
移動局ごとに、その移動局から受信した伝搬品質情報および可否判定結果に基づいて、周波数リソースを割り当てるための割り当て指標を計算するテスップと、
前記割り当て指標に基づいて、各移動局へ周波数リソースを割り当てるステップと、
を有し、
前記割り当て指標を計算するステップでは、当該移動局に割り当てられた周波数リソースを複数に分けたグループごとに前記可否判定結果に基づく補正値を求め、このグループごとの補正値と前記伝搬品質情報とから、前記割り当て指標を求める
ことを特徴とする周波数リソース割り当て方法。
【請求項２】
請求項1記載の周波数リソース割り当て方法において、以前の通信で割り当てられていた周波数リソースのグループに対し、前記判定結果に基づいて前記補正値を更新することを特徴とする周波数リソース割り当て方法。
【請求項３】
請求項１または２記載の周波数リソース割り当て方法において、周波数リソースごとにひとつのグループとし、周波数リソースごとに前記補正値を生成することを特徴とする周波数リソース割り当て方法。
【請求項４】
請求項１から３のいずれか１項記載の周波数リソース割り当て方法において、前記周波数リソースは、周波数チャネルと同じサイズ、あるいは周波数チャネルをいくつかまとめたものを単位として割り当てられることを特徴とする周波数リソース割り当て方法。
【請求項５】
移動局との間で周波数分割多元接続通信を行う基地局装置において、
各移動局から、周波数リソースごとの伝搬品質情報と、その移動局に割り当てられた周波数リソース全体でデータが正しく受信されたかどうかの可否判定結果とを受信する手段と、
移動局ごとに、その移動局から受信した伝搬品質情報および可否判定結果に基づいて、その移動局に周波数リソースを割り当てるための割り当て指標を計算する手段と、
前記割り当て指標に基づいて、各移動局へ周波数リソースを割り当てる手段と、
を備え、
前記割り当て指標を計算する手段は、当該移動局に割り当てられた周波数リソースを複数に分けたグループごとに前記可否判定結果に基づく補正値を求める手段と、このグループごとの補正値と前記伝搬品質情報とから前記割り当て指標を求める手段と、を有する
ことを特徴とする基地局装置。
【発明の詳細な説明】
【技術分野】
【０００１】
本発明は、周波数分割多元接続（ＯＦＤＭＡ：Ｏｒｔｈｏｇｏｎａｌ  Ｆｒｅｑｕｅｎｃｙ-Ｄｉｖｉｓｉｏｎ  Ｍｕｌｔｉｐｌｅ  Ａｃｃｅｓｓ）方式での周波数リソースの割り当て方法および周波数リソースの割り当てを行う基地局装置に関する。
【背景技術】
【０００２】
ＯＦＤＭＡ方式において、マルチユーザ通信を行うときの周波数リソースの割り当ては、大まかに、次のように行われる。まず、各移動局は、基地局から送信される参照信号の電力を、周波数リソース毎に測定し、周波数リソース毎の信号対干渉電力比などの伝搬品質（Ｃｈａｎｎｅｌ  Ｑｕａｌｉｔｙ  Ｉｎｆｏｒｍａｔｉｏｎ：  ＣＱＩ）を、接続する基地局に送信する。基地局では、配下の移動局から送信される伝搬品質情報に応じて、周波数リソースを割り当てる。【０００３】
マルチセル環境では、セル間の干渉は、各セルでの周波数リソースの割り当て状況や、基地局の送信ビームや移動局の受信ビームの向き等により影響される。このため、基地局から送信される参照信号を用いて周波数リソースを割り当てるだけでは、共有チャネルで送信されるデータ信号のセル間の干渉に対して、周波数リソースの割り当て状況や送信ビームの影響を反映することができない。そこで、セル間の干渉を考慮して周波数リソース割り当てを行う方法として、各セルでの周波数リソースの割り当て状況をセル間で通知し合い、参照信号で測定される伝搬品質を補正することが知られている。【０００４】
ただし、セル間で周波数リソースの割り当て状況を通知しあって伝搬品質を補正するだけでは、送信／受信ビームの影響等の実際の干渉量は反映できない。このため、データの伝送誤り率を参照して伝搬品質を補正するアウターループ処理が行われる。アウターループ処理としては、一般に、次の式により、伝搬品質にデシベル加算するオフセット値を計算する処理が用いられる。
【数１】
2014203546.tif 000003
ここで、ｎは移動局の番号、ＣＱＩ＿ｏｆｆｓｅｔはデシベル値で表現された伝搬品質のオフセット値、Δａｄｊはデシベル値で表現されたオフセット値の更新値、ＢＬＥＲｔａｒｇｅｔはブロック誤り率の目標値である。上記の式１では、下りリンクの送信データの単位ごとに、通信が成功の場合にはΔａｄｊ×ＢＬＥＲｔａｒｇｅｔだけオフセット値を大きくし、通信が失敗の場合にはΔａｄｊ×（１−ＢＬＥＲｔａｒｇｅｔ）だけオフセット値を小さくする。通信を行わなかった場合には、オフセット値はそのままである。【０００５】
ＯＦＤＭＡ方式においてマルチユーザ通信を行うときの周波数リソース割り当て方法としては、下記の先行技術文献に記載されたものがある。特許文献1には、送信するデータサイズが閾値以上のときには動的に、送信するデータサイズが閾値未満のときには一定周期毎に無線リソースを割り当て、動的な割り当て時には、一定周期毎の割り当てで確保された無線リソースを割り当てることが記載されている。特許文献２には、基地局が上りチャネルの品質情報を基に干渉情報テーブルを作成して移動局に通知し、移動局が、パイロット信号（上記の参照信号）の周波数帯域を決定して、基地局に送信リソースを要求することが記載されている。特許文献３には、端末装置において、基地局から受信したオフセット値を用いて、複数の資源領域別に、またはチャネル状態情報送信周期別に、チャネル状態情報を生成することが記載されている。
【先行技術文献】
【特許文献】
【０００６】
【特許文献１】特許第５０６９７４０号
【特許文献２】ＷＯ２００８／０９３６２１
【特許文献３】特表２０１２−５３３９６０号
【発明の概要】
【発明が解決しようとする課題】
【０００７】
アウターループ処理に用いられるＡＣＫ／ＮＡＣＫ情報は、周波数チャネルごとではなく、通信チャネル単位に送信される。すなわち、複数の周波数リソースが１つの通信チャネルを構成している場合、ＡＣＫ／ＮＡＣＫ情報は、それらの複数の周波数リソースの全体の通信結果として送信される。このため、干渉しているのが一部の周波数リソースだけであっても、その影響により、別の周波数リソースも品質が低いと判断されてしまう。【０００８】
本発明は、このような課題を解決し、一部の周波数リソースの品質の劣化による他の周波数リソースの割り当てへの影響を少なくとも低減することのできる周波数リソース割り当て方法および基地局装置を提供することを目的とする。
【課題を解決するための手段】
【０００９】
本発明の第一の側面によると、周波数分割多元接続通信を行う基地局が各移動局への下りリンクへの周波数リソースを割り当てる方法において、各移動局から、周波数リソースごとの伝搬品質情報と、その移動局に割り当てられた周波数リソース全体でデータが正しく受信されたかどうかの可否判定結果とを受信するステップと、移動局ごとに、その移動局から受信した伝搬品質情報および可否判定結果に基づいて、周波数リソースを割り当てるための割り当て指標を計算するテスップと、割り当て指標に基づいて、各移動局へ周波数リソースを割り当てるステップと、を有し、割り当て指標を計算するステップでは、当該移動局に割り当てられた周波数リソースを複数に分けたグループごとに可否判定結果に基づく補正値を求め、このグループごとの補正値と伝搬品質情報とから、割り当て指標を計算することを特徴とする周波数リソース割り当て方法が提供される。【００１０】
本発明の第二の側面によると、移動局との間で周波数分割多元接続通信を行う基地局装置において、各移動局から、周波数リソースごとの伝搬品質情報と、その移動局に割り当てられた周波数リソース全体でデータが正しく受信されたかどうかの可否判定結果とを受信する手段と、移動局ごとに、その移動局から受信した伝搬品質情報および可否判定結果に基づいて、その移動局に周波数リソースを割り当てるための割り当て指標を計算する手段と、割り当て指標に基づいて、各移動局へ周波数リソースを割り当てる手段と、を備え、割り当て指標を計算する手段は、当該移動局に割り当てられた周波数リソースを複数に分けたグループごとに可否判定結果に基づく補正値を求める手段と、このグループごとの補正値と伝搬品質情報とから割り当て指標を計算する手段と、を有することを特徴とする基地局装置が提供される。
【発明の効果】
【００１１】
本発明によると、一部の周波数リソースの品質の劣化による他の周波数リソースの割り当てへの影響を、少なくとも低減することができる効果がある。
【図面の簡単な説明】
【００１２】
【図１】本発明を実施する無線通信システムを説明するブロック構成図である。
【図２】セル間の干渉を説明する図である。
【図３】周波数リソースの割り当て指標の例を示す図である。
【図４】周波数リソースの割り当て例を示す図である。
【図５】割り当て指標を計算するための回路構成（背景技術）を示すブロック図である。
【図６】図５に示す背景技術による割り当て指標の補正例を示す図である。
【図７】図５に示す背景技術による割り当て指標の補正例を示す図である。
【図８】図１に示す割り当て指標計算器の構成例（本発明の実施の形態）を示すブロック図である。
【図９】本発明の実施の形態における周波数リソース割り当て方法の処理フローを示す図である。
【図１０】図９におけるステップＳ１２の処理をより詳細に示す図である。
【図１１】本発明の実施の形態における割り当て指標の補正例を示す図である。
【図１２】本発明の実施の形態による周波数割り当ての一例を示す図である。
【発明を実施するための形態】
【００１３】
図１は、本発明を実施する無線通信システムを説明するブロック構成図である。ここでは、説明を簡単にするため、下りリンクに関する構成のみを示す。
【００１４】
この無線通信システムは、基地局１０および移動局２０を備える。基地局１０は、下りリンクに関する構成として、参照信号送信器１１、伝搬品質・ＡＣＫ／ＮＡＣＫ受信器１２、割り当て指標計算器１３、スケジューラ１４、データ送信器１５および送受信アンテナ１６を備える。移動局２０は、下りリンクに関する構成として、伝搬品質測定器２１、伝搬品質・ＡＣＫ／ＮＡＣＫ送信器２２、データ受信器２３、ＡＣＫ／ＮＡＣＫ判定器２４および送受信アンテナ２５を備える。
【００１５】
基地局１０の参照信号送信器１１は、参照信号を生成し、送受信アンテナ１６より送信する。スケジューラ１４は、周波数リソースへの各移動局の割り当てを決定する。データ送信器１５は、スケジューラ１４の割り当てに従って、各移動局のデータを周波数リソースに割り当て、送受信アンテナ１６より送信する。
【００１６】
移動局２０において、伝搬品質測定器２１は、送受信アンテナ２５で受信された信号から参照信号を取り出し、伝搬品質を測定する。伝搬品質・ＡＣＫ／ＮＡＣＫ送信器２２は、伝搬品質測定器２１により測定された伝搬品質を、送受信アンテナ２５から送信する。データ受信器２３は、送受信アンテナ２５で受信された信号から、データ信号を受信する。ＡＣＫ／ＮＡＣＫ判定器２４は、データ受信器２３でデータが正しく受信されたかどうかに応じて、ＡＣＫ／ＮＡＣＫを判定する。この判定結果は、ＡＣＫ／ＮＡＣＫ情報として、伝搬品質・ＡＣＫ／ＮＡＣＫ送信器２２により、送受信アンテナ２５から送信される。
【００１７】
基地局１０の伝搬品質・ＡＣＫ／ＮＡＣＫ受信器１２は、各移動局から、周波数リソースごとの伝搬品質情報と、その移動局に割り当てられた周波数リソース全体でデータが正しく受信されたかどうかの可否判定結果であるＡＣＫ／ＮＡＣＫ情報とを、送受信アンテナ１６で受信された信号から検出する。割り当て指標計算器１３は、移動局ごとに、その移動局から受信した伝搬品質情報およびＡＣＫ／ＮＡＣＫ情報に基づいて、その移動局に周波数リソースを割り当てるための割り当て指標を計算する。この計算において、割り当て指標計算器１３は、当該移動局に割り当てられた周波数リソースを複数に分けたグループごとに、可否判定結果に基づく補正値を求め、このグループごとの補正値と伝搬品質情報とから、割り当て指標を求める。スケジューラ１４は、割り当て指標計算器１３の計算により得られた割り当て指標に基づいて、各移動局の送信データの周波数リソースへの割り当てを決定する。
【００１８】
図２は、セル間の干渉を説明する図である。ここでは、基地局が２局（基地局３１，３２）、移動局が３局（移動局４１，４２，４３）の場合の基地局と移動局との接続例を示す。基地局３１に移動局４１，４２が接続され、基地局３２に移動局４３が接続されているとする。この接続状態で移動局４１が基地局３２のセルに近づいたとき、移動局４１において、基地局３２から移動局４３への送信が干渉となる可能性がある。
【００１９】
図３は、図２の例における周波数リソースの割り当て指標の例を示す。この例では、周波数リソースを、９つの周波数チャネルとして表現している。右下がりハッチングが移動局４１に対する割り当て指標を示し、右上がりのハッチングが移動局４２に対する割り当て指標を示す。各周波数チャネルにおいて割り当て指標が高い値を持つ移動局に、その周波数チャネルが割り当てられる。
【００２０】
図４は、図２の例における周波数リソースの割り当て例を示す。この例では、基地局３１は、移動局４１に周波数チャネル＃３と＃４を、移動局４２に周波数チャネル＃６〜＃８を割り当てている。未割当の周波数チャネルは、移動局４１，４２に割り当ててもよいし、基地局３１配下の別の移動局に割り当ててもよい。基地局３２は、移動局４３に、周波数チャネル＃１〜＃３を割り当てている。
【００２１】
図４の例において、周波数チャネル＃３は、基地局３１では移動局４１に、基地局３２では移動局４３へ割り当てられている。図２に示すように、基地局３１、３２と移動局４１，４３の位置関係や送信／受信ビームの向きによっては、基地局３２から移動局４３への周波数チャネル＃３の送信は、基地局３１から移動局４１への周波数チャネル＃３の送信の干渉となりうる。干渉となる場合、移動局４１において、周波数チャネル＃３の受信品質は、図３の割り当て指標に相当する品質より劣化してしまう。一方、ＡＣＫ／ＮＡＣＫ情報は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）等の方式では、周波数チャネルごとではなく通信チャネル単位に送信される。このため、周波数チャネル＃３と＃４が１つの通信チャネルを構成するのであれば、周波数チャネル＃３と＃４のトータルの通信結果として、ＡＣＫ／ＮＡＣＫ情報が送信される。したがって、干渉しているのが周波数チャネル＃３だけであっても、その影響により、移動局４１にとって、周波数チャネル＃３と＃４の双方がともに低い品質となる。
【００２２】
図５は、割り当て指標を計算するための回路構成を示すブロック図である。図５に示す割り当て指標計算器５０は、割り当て指標の補正値を式１に示すアウターループ処理により求めるものであり、図１における割り当て指標計算器１３に対して背景技術となるものである。
【００２３】
割り当て指標計算器５０には、各移動局から、ＡＣＫ／ＮＡＣＫ情報ＡＣＫ／ＮＡＣＫ（ｎ）（ｎ＝１，２，…，Ｎ）と、周波数チャネルごとの伝搬品質情報ＣＱＩ（ｎ，ｍ）（ｍ＝１，２，…，Ｍ）が入力される。
【００２４】
割り当て指標計算器５０は、移動局ごとに補正処理器５１を備える。各補正処理器５１は、ひとつの補正値生成器５２と、移動局に割り当てられる周波数チャネルごとの補正器５３−１〜５３−ｍとを備える。補正値生成器５２は、ＡＣＫ／ＮＡＣＫ情報と、スケジューラ１４から通知される周波数チャネルの割り当ての有無に応じて、式１により補正値を生成する。補正器５３−１〜５３−ｍは、伝搬品質情報報ＣＱＩ（ｎ，ｍ）より各周波数チャネルの割り当て指標を計算するとともに、補正値生成器５２で計算した補正値により、割り当て指標を補正する。スケジューラ１４は、各移動局の各周波数チャネルの割り当て指標に応じて、各移動局への各周波数チャネルの割り当てを決定する。
【００２５】
図６および図７は、図５に示す背景技術による割り当て指標の補正例を示す。
【００２６】
図５に示す背景技術では、補正値生成器５２が１つであるように、アウターループ処理のオフセット値は移動局ごとに１つである。アウターループ処理により、割り当て指標は全周波数チャネルで一律に補正され、図６の例では小さく、図７の例では大きく補正される。すなわち、アウターループ処理による補正では、移動局ごとの割り当て指標において、周波数特性は変わらない。周波数チャネルの割り当て指標の補正は、周波数特性が変わるようなものでないと、セル間の干渉を反映することはできない。上述したように、ＡＣＫ／ＮＡＣＫ情報は全周波数チャネルの品質を反映するものではないため、補正値は全周波数チャネル一律に適用するべきものではなく、ＡＣＫ／ＮＡＣＫ情報が表している周波数チャネルにのみ反映すべきである。
【００２７】
図８は、図１に示す割り当て指標計算器１３の構成例を示すブロック図である。ここでは、周波数リソースを周波数チャネルごとに割り当てるものとし、周波数チャネルごとに補正値を求める場合を例に説明する。
【００２８】
図８に示す割り当て指標計算器１３では、図５に示す背景技術における補正値生成器５２に相当する回路が、周波数チャネルごとに設けられている。すなわち、割り当て指標計算器１３は、移動局ごとに補正処理器６１を備え、各補正処理器６１は、対応する移動局に割り当てられたｍ個の周波数チャネルごとにＡＣＫ／ＮＡＣＫ情報に基づく補正値を求める補正値生成器６２−１〜６２−ｍと、この周波数チャネルごとの補正値と伝搬品質情報とから割り当て指標を求める補正器６３−１〜６３−ｍとを備える。
【００２９】
補正値生成器６２−１〜６２−ｍは、スケジューラ１４より通知される周波数チャネルの割り当て結果に応じて、割り当てがあった周波数チャネルについては、ＡＣＫ／ＮＡＣＫ情報に応じて、アウターループの補正値（オフセット値）を更新する。補正器６３−１〜６３−ｍは、伝搬品質情報報ＣＱＩ（ｎ，ｍ）より各周波数チャネルの割り当て指標を計算するとともに、補正値生成器６２−１〜６２−ｍで計算した補正値により、割り当て指標を補正する。補正値生成器６２−１〜６２−ｍにおける補正値の更新を式で表すと、以下になる。
【数２】
2014203546.tif 000004
【００３０】
図９は、図１および図８に示す本発明の実施の形態における周波数リソース割り当て方法の処理フローを示す。
【００３１】
まず、伝搬品質・ＡＣＫ／ＮＡＣＫ受信器１２において、移動局ごとにＡＣＫ／ＮＡＣＫ情報ＡＣＫ／ＮＡＣＫ（ｎ）（ｎ＝１，２，…，Ｎ）と、周波数チャネルごとの伝搬品質情報ＣＱＩ（ｎ，ｍ）（ｎ＝１，２，…，Ｎ；ｍ＝１，２，…，Ｍ）を受信する（ステップＳ１１）。図では周波数リソースごととしているが、周波数リソースは、周波数チャネルと同じサイズか、あるいは周波数チャネルをいくつかまとめたものであってもよい。
【００３２】
次に、割り当て指標計算器１３内の補正値生成器６２−１〜６２−ｍにおいて、移動局ごと、周波数チャネルごとに、補正値ＣＱＩ＿ｏｆｆｓｅｔ（ｎ，ｍ）を更新する（ステップＳ１２）。この更新は、周波数チャネルｍが移動局ｎに割り当てられていたかどうかと、ＡＣＫ／ＮＡＣＫ情報ＡＣＫ／ＮＡＣＫ（ｎ）に応じて、式２により行われる。
【００３３】
割り当て指標計算器１３内の補正器６３−１〜６３−ｍでは、伝搬品質情報ＣＱＩ（ｎ，ｍ）より、移動局ごと、周波数チャネルごとに、割り当て指標を計算し、ステップＳ１２で計算した補正値ＣＱＩ＿ｏｆｆｓｅｔ（ｎ，ｍ）で補正する（ステップＳ１３）。
【００３４】
スケジューラ１４は、ステップＳ１３で計算した割り当て指標に応じて、周波数チャネルを移動局に割り当てる（ステップＳ１４）。スケジューラ１４はまた、未割り当ての周波数チャネルの有無をチェックし（ステップＳ１５）、未割り当ての周波数チャネルがある場合はステップＳ１４に戻り、未割り当ての周波数チャネルがない場合には割り当てを終了する。
【００３５】
図１０は、図９におけるステップＳ１２の処理をより詳細に示す図である。図８に示す割り当て指標計算器１３は、移動局ごと、および周波数チャネルごとに、補正値生成器６２−１〜６２−ｍが設けられている。これに対して、これらの補正値生成器６２−１〜６２−ｍの動作を、図１０に示すように、逐次処理により実現することもできる。
【００３６】
この処理では、まず、処理する移動局の番号ｎを初期値１に設定し（ステップＳ２１）、処理する周波数チャネルの番号ｍを初期値１に設定する（ステップＳ２２）。次に、周波数チャネルＲＢ（ｍ）が移動局ｎに割り当てられていたかを判定する（ステップＳ２３）。割り当てられていた場合（ステップＳ２３でＹＥＳ）には、補正値ＣＱＩ＿ｏｆｆｓｅｔ（ｎ，ｍ）を式２に応じて更新する（ステップＳ２４）。ステップＳ２３でＮＯの場合には、ステップＳ２４をスキップする。次に、周波数チャネルの番号ｍを１増やし（ステップＳ２５）、すべての周波数チャネルを処理したか判定する（ステップＳ２６）。まだ更新していない周波数チャネルがある場合（ステップＳ２６でＮＯ）は、ステップＳ２３に戻る。すべての周波数チャネルの更新が終了している場合（ステップＳ２６でＹＥＳ）は、移動局の番号ｎを１増やし（ステップＳ２７）、すべての移動局を処理したか判定する（ステップＳ２８）では。まだ処理していない移動局がある場合（ステップＳ２８でＮＯ）は、ステップＳ２２に戻り、すべての移動局を処理した場合（ステップＳ２８でＹＥＳ）は、処理を終了する。
【００３７】
図１１は、本発明の実施の形態における割り当て指標の補正例を示す。
【００３８】
図４に示すように、基地局３１では周波数チャネル＃３と＃４を移動局４１に割り当て、基地局３２では周波数チャネル＃３を他の移動局４３に割り当てているとする。このとき、移動局４１において周波数チャネル＃３の受信品質が劣化し、周波数チャネル＃４と合わせて下りリンクのデータ通信の品質は低下する。その結果、図５に示す背景技術では、移動局４１の補正値が、図６に示すように、全周波数チャネルに渡って一律に下がってしまう。
【００３９】
一方、図１および図８に示す本発明の実施の形態では、図１１に示すように、移動局４１に割り当てられている周波数チャネル＃３と＃４の部分のみ、補正値が下がる。補正後の割り当て指標は、図５に示す背景技術では、図６のハッチングのない部分で示すようになっていたものが、図１および図８に示す実施の形態では、図１１のハッチングのない部分で示すようになる。
【００４０】
図１２は、本発明の実施の形態による周波数割り当ての一例を示す。
【００４１】
図５に示す背景技術では、割り当て指標の周波数特性は変わらないため、移動局１１に割り当てられる周波数チャネルは、＃３と＃４のまま変わらない。一方、本発明の実施の形態では、割り当て指標の周波数特性が変化し、図１１の例では、周波数チャネル＃５と＃６も移動局４１に割り当てられる候補となる。図１２は、実際に移動局４１に周波数チャネル＃５が割り当てられた例を示す。このような背景技術とは異なる周波数チャネルが割り当て候補となることで、セル間の干渉が弱い周波数チャネルが選択される可能性が生じ、移動局に割り当てられる周波数チャネルの平均品質が向上する可能性が生ずる。
【００４２】
以上の説明では、周波数リソースを周波数チャネルごとに割り当て、周波数チャネルごとに補正値を求める場合を例に説明した。周波数リソースの割り当ては、周波数チャネルごとに限定されるものではなく、複数の周波数チャネルを単位として割り当てることもできる。また、補正値を計算する単位は、伝搬品質情報が報告される周波数リソース（周波数チャネル）の単位と異なっていてもよい。すなわち、移動局に割り当てられた周波数リソースを複数に分けたグループごとに、たとえば複数の周波数チャネルをまとめて、補正値を求めてもよい。
【００４３】
周波数チャネルの割り当ての指標としては、ＣＱＩの値そのものではなく、各移動局の平均スループットでＣＱＩを割った値を用いるプロポーショナル・フェアネスなどを用いてもよい。本発明は、指標の種類に関わらず実施することができる。
【符号の説明】
【００４４】
１０  基地局、１１  参照信号送信器、１２  伝搬品質・ＡＣＫ／ＮＡＣＫ受信器、１３  割り当て指標計算器、１４  スケジューラ、１５  データ送信器、１６  送受信アンテナ、２０  移動局、２１  伝搬品質測定器、２２  伝搬品質・ＡＣＫ／ＮＡＣＫ送信器、２３  データ受信器、２４  ＡＣＫ／ＮＡＣＫ判定器、２５  送受信アンテナ、６１  補正処理器、６２−１〜６２−ｍ  補正値生成器、６３−１〜６３−ｍ  補正器
【図１】
2014203546.tif 000005
【図２】
2014203546.tif 000006
【図３】
2014203546.tif 000007
【図４】
2014203546.tif 000008
【図５】
2014203546.tif 000009
【図６】
2014203546.tif 000010
【図７】
2014203546.tif 000011
【図８】
2014203546.tif 000012
【図９】
2014203546.tif 000013
【図１０】
2014203546.tif 000014
【図１１】
2014203546.tif 000015
【図１２】
2014203546.tif 000016
【国際調査報告】
2014203546.tif 000017
2014203546.tif 000018